(57)【要約】      （修正有）【課題】縦横どちらの向きに収納しても、医薬品名等の表示内容の理解が容易な容器を提供する。【解決手段】容器は、互いに対向する第１の板と第２の板と、互いに対向する第３の板と第４の板と、互いに対向する第５の板と第６の板と、を有し、互いに対向する第１の板と第２の板、互いに対向する第３の板と第４の板、又は互いに対向する第５の板と第６の板、の１組以上の対向する板の表面に文字１１４Ｇ，１１６Ｇ又は図形の少なくとも一方が記載され、一方の板の表面に記載された前記文字又は図形の少なくとも一方は、対向する他方の板の表面に右回り又は左回りに９０度回転して記載されている。【選択図】図３
0003218978.tif 000002
【実用新案登録請求の範囲】
【請求項１】
互いに対向する第１の板と第２の板と、
互いに対向する第３の板と第４の板と、
互いに対向する第５の板と第６の板と、
を有し、
互いに対向する第１の板と第２の板、互いに対向する第３の板と第４の板、又は互いに対向する第５の板と第６の板、の１組以上の対向する板の表面に文字又は図形の少なくとも一方が記載され、
一方の板の表面に記載された前記文字又は図形の少なくとも一方は、対向する他方の板の表面に右回り又は左回りに９０度回転して記載されている、容器。
【請求項２】
前記容器は、略直方体の形状を有する、請求項１に記載の容器。
【請求項３】
前記文字又は図形の少なくとも一方は、前記容器の対向する１組の短側板に記載されている、請求項１又は請求項２に記載の容器。
【請求項４】
前記容器は、医薬品用容器である、請求項１から請求項３のいずれか１項に記載の容器。
【請求項５】
組み立てたときに互いに対向する第１の板と第２の板と、
組み立てたときに互いに対向する第３の板と第４の板と、
組み立てたときに互いに対向する第５の板と第６の板と、
を有し、
組み立てたときに互いに対向する第１の板と第２の板、
組み立てたときに互いに対向する第３の板と第４の板、
及び組み立てたときに互いに対向する第５の板と第６の板、
の１組以上の組み立てたときに対向する板の表面に相当する板の面に文字又は図形の少なくとも一方が記載され、一方の板の表面に相当する板の面に記載された前記文字又は図形の少なくとも一方が、組み立てたときに対向する他方の板の表面に相当する板の面に右回り又は左回りに９０度回転して記載されている、紙片。
【請求項６】
前記紙片で一方向に連続する４つの板において、前記連続する一方向に対して最も離れて配置された第１の辺と第２の辺とが接続する、請求項５に記載の紙片。
【請求項７】
前記紙片は、組み立てたときに略直方体の形状を有する、請求項５又は請求項６に記載の紙片。
【請求項８】
前記文字又は図形の少なくとも一方は、前記紙片を組み立てたときに対向する１組の短側板に記載されている、請求項５から請求項７のいずれか１項に記載の紙片。
【請求項９】
組み立てた前記紙片は、医薬品用容器である、請求項５から請求項８のいずれか１項に記載の紙片。
【考案の詳細な説明】
【技術分野】
【０００１】
本考案は、容器に関する。
【背景技術】
【０００２】
錠剤や散剤等の医薬品は、通常、複数のＰＴＰシートや分包をパッケージ（紙製の外部の容器）に収納し、医療機関へ運搬され、パッケージのまま医療棚に保管される。一般に、パッケージには、収納される医薬品の名称等が明示されている。
【０００３】
例えば、特許文献１に記載された包装用紙箱には、開封時又は開封後に内容物が何であるのかが、直感的に分かり、目の不自由な人でも触覚によって内容物の識別が可能とするために、複数の穿孔から構成される穿孔マークを有する包装用紙箱が開示されている。
【先行技術文献】
【特許文献】
【０００４】
【特許文献１】特開２０１０−２６９８００号公報
【考案の概要】
【考案が解決しようとする課題】
【０００５】
医療機関等は非常に多くの医薬品を取り扱っており、それらをスペースの限られた薬品棚や引出しに容器を収納する必要がある。パッケージは直方体のものが多く、限られたスペースに収納する際には、容器を安定的に収納できるように比較的面積が大きな面どうしが接するように各容器が配置されるとともに、より多くの容器を一望できるように一番小さい面を医療従事者に対して前面（引出しに容器を収納する場合には、上面あるいは医療従事者に対して手前側）に向けて収納されることが多い。
【０００６】
このとき、より多くの医薬品を効率的に収納するために、容器の前面が長方形の場合、この前面の長辺を下にしたり、短辺を下にする等、向きを変えて容器を収納したりすることがある。
【０００７】
従来のパッケージの医薬品名等の表示は、長辺を下にした場合又は短辺を下にした場合のいずれかの場合にのみ、容器の面に記載された表示を読み進める方向が縦読みのときは垂直方向に記載され、横読みのときは水平方向に記載されている。すなわち、従来のパッケージの医薬品名等の表示は、長辺を下にした場合又は短辺を下にした場合のいずれかの場合にのみ、人が自然と表示を読み進めることができる方向に記載されている。
【０００８】
しかし、容器に記載された表示を読み進める方向とは異なる方向を水平又は垂直にして容器を収納することがある。すなわち、人が自然と表示を読み進めることができない方向を水平又は垂直にして容器を収納することがある。
【０００９】
この場合、医薬品名等の表示の視認性が低下し、また、医薬品の名称には非常に長い名称も存在するため、内容の理解が困難である。調剤を行う際には短時間で行わなければならないため、視認性の低い表示では取り間違えが発生するリスクがある。
【００１０】
特許文献１に記載された包装用紙箱は、視力の低下した人が触覚によって内容物を識別するものであり、例えば家庭用薬箱の中にある数種類の薬の中で取り違えを防ぐための包装用紙箱であった。一方、医療機関において非常に多くの医薬品を扱う医療従事者には、薬品棚に収納された１つ１つの医薬品を触って識別することは不可能であるため、視覚によって簡便に識別できることが求められていた。
【００１１】
本考案の課題の一つは、スペースの限られた薬品棚や引出しに容器を収納する際に、医療従事者に対して前面に向けた面の長辺、短辺どちらを下にして薬品棚に収納しても、又は上面あるいは医療従事者に対して前面に向けた面の長辺、短辺どちらを医療従事者の手前側に向けて収納しても、医薬品名等の表示内容の理解が容易な容器を提供することである。
【課題を解決するための手段】
【００１２】
本発明の一実施形態によれば、互いに対向する第１の板と第２の板と、互いに対向する第３の板と第４の板と、互いに対向する第５の板と第６の板と、を有し、互いに対向する第１の板と第２の板、互いに対向する第３の板と第４の板、又は互いに対向する第５の板と第６の板、の１組以上の対向する板の表面に文字又は図形の少なくとも一方が記載され、一方の板の表面に記載された文字又は図形の少なくとも一方は、対向する他方の板の表面に右回り又は左回りに９０度回転して記載されている、容器が提供される。
【００１３】
容器は、略直方体の形状を有してもよい。
【００１４】
文字又は図形の少なくとも一方は、容器の対向する１組の短側板に記載されてもよい。
【００１５】
容器は、医薬品用容器でもよい。
【００１６】
本発明の一実施形態によれば、組み立てたときに互いに対向する第１の板と第２の板と、組み立てたときに互いに対向する第３の板と第４の板と、組み立てたときに互いに対向する第５の板と第６の板と、を有し、組み立てたときに互いに対向する第１の板と第２の板、組み立てたときに互いに対向する第３の板と第４の板、及び組み立てたときに互いに対向する第５の板と第６の板、の１組以上の組み立てたときに対向する板の表面に相当する板の面に文字又は図形の少なくとも一方が記載され、一方の板の表面に相当する板の面に記載された文字又は図形の少なくとも一方が、組み立てたときに対向する他方の板の表面に相当する板の面に右回り又は左回りに９０度回転して記載されている、紙片が提供される。
【００１７】
紙片で一方向に連続する４つの板において、連続する一方向に対して最も離れて配置された第１の辺と第２の辺とが接続してもよい。
【００１８】
紙片は、組み立てたときに略直方体の形状を有してもよい。
【００１９】
文字又は図形の少なくとも一方は、紙片を組み立てたときに対向する１組の短側板に記載されてもよい。
【００２０】
組み立てた紙片は、医薬品用容器でもよい。
【考案の効果】
【００２１】
本考案の一実施形態により、医療従事者に対して前面に向けた面の長辺あるいは短辺のどちらを下にして容器を収納する場合でも、表示を読み進める方向が水平又は垂直になる面を前面に向けることにより、医薬品名等の表示内容の理解が容易な容器を提供することができる。そのような、本考案の一実施形態においては、医療従事者に対して前面に向けた面の長辺あるいは短辺のどちらを医療従事者に対して手前側になるように引き出しに容器を収納する場合でも、表示を読み進める方向が引き出しの手前側の縁に平行になる面を前面に向けることにより、医薬品名等の表示内容の理解が容易となる。
【図面の簡単な説明】
【００２２】
【図１】本考案の第１実施形態の容器の前板と第１の側板から見た模式的斜視図である。
【図２】本考案の第１実施形態の容器の背板と第２の側板から見た模式的斜視図である。
【図３】本考案の第１実施形態の容器を展開した紙片の図である。
【図４】本考案の第１実施形態の容器を展開した紙片において最も離れた辺同士を接続した図である。
【図５】本考案の第２実施形態の容器を展開した紙片の図である。
【図６】本考案の第２実施形態の容器を展開した紙片において最も離れた辺同士を接続した図である。
【図７】本考案の第３実施形態の容器の前板と第１の側板から見た模式的斜視図である。
【図８】本考案の第３実施形態の容器の背板と第２の側板から見た模式的斜視図である。
【図９】本考案の第３実施形態の容器を展開した紙片の図である。
【図１０】本考案の第３実施形態の容器を展開した紙片において最も離れた辺同士を接続した図である。
【考案を実施するための形態】
【００２３】
以下、本考案の各実施形態について、図面などを参照しつつ説明する。ただし、本考案は、その要旨を逸脱しない範囲において様々な態様で実施することができ、以下に例示する実施形態の記載内容に限定して解釈されるものではない。また、以下の実施形態を基にして、当業者が適宜構成要素の追加、削除もしくは設計変更を行ったものも、本考案の要旨を備えている限り、本考案の範囲に含まれる。
【００２４】
さらに、以下に述べる実施形態によりもたらされる作用効果とは異なる他の作用効果であっても、本明細書の記載から明らかなもの、又は、当業者において容易に予測し得るものについては、当然に本考案によりもたらされるものと理解される。
【００２５】
図面は、説明をより明確にするため、実際の態様に比べ、各部の幅、厚さ、形状などについて模式的に表される場合があるが、あくまで一例であって、本考案の解釈を限定するものではない。
【００２６】
本明細書において、特に断りがない限り、表面とは後述する実施形態の容器の外側になる面をいい、裏面とは後述する実施形態の容器の内側になる面をいう。
【００２７】
（第１実施形態）
図１は、本考案の第１実施形態の容器の前板１１８と第１の側板１１４から見た模式的斜視図であり、図２は、本考案の第１実施形態の容器の背板１２０と第２の側板１１６から見た模式的斜視図である。これらの図では容器１００は略直方体の形状を有するように示されている。なお、容器は、カートンともいう。
【００２８】
容器１００は、上板１１０、第１の側板１１４、第１の側板１１４に対向する第２の側板１１６、前板１１８、前板１１８に対向する背板１２０、を有する。図１や図２では図示しないが、容器１００は、上板１１０に対向する底板１１２を有している。なお、後述するように、容器１００は一枚の、一体となった容器を展開した紙片１００Ａ又は２００Ａ（図３又は図５）を組み立てることで形成される。したがって、容器１００の外部構造を形成する上記構成要素は、互いに直接的又は間接的に連結されており、紙片１００Ａ又は紙片２００Ａ中に形成される折り目を境界として区別される。
【００２９】
容器１００の高さＨ、長さＬ、奥行きＤはそれぞれ、底板１１２と上板１１０との間の距離、第１の側板１１４と第２の側板１１６との間の距離、前板１１８と背板１２０との間の距離として定義される。この例では、Ｌが最も長く、Ｈがその次に長く、Ｄが最も短い。すなわち、容器１００は直方体であり、第１の側板１１４と第２の側板１１６とが短側板であり、一方、上板１１０、底板１１２、前板１１８及び背板１２０が長側板である。なお、容器１００は、ＬとＨとＤはいずれが長くいずれが短い直方体でもよく、またＬとＨとＤの長さの比はこの例に限定されない。
【００３０】
上板１１０、底板１１２、第１の側板１１４、第２の側板１１６、前板１１８、及び背板１２０によって形成される空間内に、収納物が収納される。収納物は、特に制限されない。例えば、錠剤、散剤、薬液等の医薬品や化学薬品が充填されたバイアルやアンプル、瓶などを複数収納することができる。
【００３１】
互いに対向する第１の側板１１４の表面と第２の側板１１６の表面とに、それぞれ文字１１４Ｇと文字１１６Ｇとが記載されている。
【００３２】
文字１１４Ｇと文字１１６Ｇとは、任意の１文字でもよいし、２文字以上の任意の文字列でもよい。また、文字１１４Ｇと文字１１６Ｇとは、図形でもよいし、文字及び図形の組み合わせ、又は文字列及び図形の組み合わせでもよい。この例では、文字１１４Ｇと文字１１６Ｇとは、いずれもＧである。一実施形態において、文字１１４Ｇと文字１１６Ｇとは、容器１００に収納されている医薬品の名称や主薬の化合物名等であることが好ましい。
【００３３】
文字１１４Ｇと文字１１６Ｇは、いずれかを９０度回転させると他方と重なる関係にある。Ｇこの例では、文字１１４Ｇは第１の側板１１４の上で時計回り（右回り）に９０度回転すると、文字１１４Ｇと文字１１６Ｇとは同じ向きとなる。すなわち、文字１１４Ｇは底板１１２を底面としたときに水平方向に読むことができ、文字１１６Ｇは前板１１８を底面としたときに水平方向に読むことができる。
【００３４】
なお、本実施形態はこれに限定されず、文字１１４Ｇは上板１１０を底面としたときに水平方向に読むことができてもよく、底板１１２を底面としたときに、第１の側板１１４の上で反時計回り（左回り）に９０度回転したときに、文字１１４Ｇと文字１１６Ｇとが同じ向き（背板１２０を底面としたときに水平方向に読むことができる）になる配置としてもよい。
【００３５】
図３は、本考案の第１実施形態の容器を展開した紙片の図である。紙片１００Ａは、上板１１０、底板１１２、第１の側板１１４、第２の側板１１６、前板１１８、及び背板１２０を含む。なお、紙片は、ブランクともいう。
【００３６】
上板１１０は、フラップ１１０ａとフラップ１１０ｂとを有し、第１の辺１１０ｃを有する。フラップ１１０ａ及びフラップ１１０ｂは、紙片１００Ａを組み立てたときの容器１００の内側の蓋である。第１の辺１１０ｃは、後述する糊代１２０ａを介して第２の辺１２０ｃと接続する。第１の辺１１０ｃと第２の辺１２０ｃとが接続することにより、紙片１００Ａが筒状になる。
【００３７】
底板１１２は、フラップ１１２ａとフラップ１１２ｂとを有する。フラップ１１２ａ及びフラップ１１２ｂは、紙片１００Ａを組み立てたときの容器１００の内側の蓋である。
【００３８】
第１の側板１１４は、差込部１１４ａを有する。差込部１１４ａは、紙片１００Ａを組み立てたときの容器１００に、差込部１１４ａを差し込んで封をするための板である。
【００３９】
第２の側板１１６は、差込部１１６ａを有する。差込部１１６ａは、紙片１００Ａを組み立てたときの容器１００に、差込部１１６ａを差し込んで封をするための板である。
【００４０】
背板１２０は、糊代１２０ａを有し、第２の辺１２０ｃを有する。糊代１２０ａの表面は、上板１１０の裏面と接着する面である。第２の辺１２０ｃは、前述したように、糊代１２０ａを介して第１の辺１１０ｃと接続し、これにより、紙片１００Ａが筒状になる。このとき、上板１１０、前板１１８、底板１１２及び背板１２０とで一方向に連続する４つの板において、４つの板が連続する一方向に対して最も離れている第１の辺１１０ｃと第２の辺１２０ｃとが接続している。
【００４１】
図４は、本考案の第１実施形態の容器を展開した紙片において対向する辺１１０ｃと辺１２０ｃとを接続した図である。前述のとおり、背板１２０の糊代１２０ａは、上板１１０の裏面と接着することにより、第１の辺１１０ｃと第２の辺１２０ｃとが接続し、紙片１００Ａが筒状の紙片１００Ｂになる。このとき、底板１１２の裏面と前板１１８の裏面とが接して重なり、背板１２０の裏面と上板１１０の裏面及び前板１１８の裏面とが接して重なることができる。
【００４２】
フラップ１１０ａと１１２ａとは、上板１１０、前板１１８、底板１１２及び背板１２０とで形成された筒の内側の蓋となる。さらに、内側の蓋の上から第１の側板１１４の蓋をし、その際に差込部１１４ａを上板１１０、前板１１８、底板１１２及び背板１２０とで形成された筒に差し込むことで容器１００の第１の側板１１４が形成される。
【００４３】
同様に、フラップ１１０ｂと１１２ｂとは、上板１１０、前板１１８、底板１１２及び背板１２０とで形成された筒の内側の蓋となる。さらに、内側の蓋の上から第２の側板１１６の蓋をし、その際に差込部１１６ａを上板１１０、前板１１８、底板１１２及び背板１２０とで形成された筒に差し込むことで容器１００の第２の側板１１６が形成される。
【００４４】
このように、第１実施形態に係る容器１００には、互いに対向する短側板である第１の側板１１４の表面と第２の側板１１６の表面とに、それぞれ文字１１４Ｇと文字１１６Ｇとが記載されている。文字１１４Ｇは、底板１１２あるいは上板１１０を底面としたときに水平方向に読むことができ、側板１１４の上で文字１１４Ｇを時計回りあるいは反時計回りに９０度回転すると、文字１１６Ｇと同じ向きになるという関係にある。
【００４５】
すなわち、底板１１２あるいは上板１１０を底面としたときは、文字１１４Ｇを水平方向に読むことができ、容器１００を時計回りあるいは反時計回りに９０度回転して、背板１２０あるいは前板１１８を底面としたときは、文字１１６Ｇを水平方向に読むことができる。これにより、文字１１４Ｇと文字１１６Ｇは、側板１１４あるいは側板１１６の長辺あるいは短辺いずれを水平に置く場合においてでも文字１１４Ｇと文字１１６Ｇのいずれかを水平方向に読むことができることになる。
【００４６】
短側板を医療従事者に対して手前にして棚に容器１００を収納する際、前面に向けた面の長辺、短辺どちらを下にして収納する場合でも、前面に向ける面を選択することにより、短側板に表示された文字１１４Ｇと文字１１６Ｇとのいずれか一方を水平方向に読むことができるよう、容器１００を棚に収納することができる。そのため、前面に向けた面の長辺、短辺どちらを下にして収納する場合でも、医薬品名等の表示内容の理解が容易な容器１００を提供することができる。
【００４７】
また、短側板を上面あるいは医療従事者に対して手前にして引出しに容器１００を収納する際、上面あるいは前面に向けた面の長辺、短辺どちらを医療従事者の手前側に向けて収納する場合でも、前面に向ける面を選択することにより、短側板に表示された文字１１４Ｇと文字１１６Ｇとのいずれか一方を医療従事者の手前側の縁に平行に配置され、水平方向に読むことができるよう、容器１００を引出しに収納することができる。
【００４８】
そのため、上面あるいは前面に向けた面の長辺、短辺どちらを医療従事者の手前側にして収納する場合でも、医薬品名等の表示内容の理解が容易な容器１００を提供することができる。
【００４９】
（第２実施形態）
図５は、本考案の第２実施形態の容器を展開した紙片の図であり、図６は、本考案の第２実施形態の容器を展開した紙片において最も離れた辺２１０ｃと辺２２０ｃとを接続した図である。第１実施形態で説明した紙片１００Ａと紙片１００Ｂと同様に容器を展開した紙片２００Ａ及び紙片２００Ｂは、上板２１０、底板２１２、第１の側板２１４、第２の側板２１６、前板２１８、及び背板２２０を含む。
【００５０】
第２実施形態は、第１実施形態と異なり、紙片２００Ａ及び紙片２００Ｂにおいて、組み立てたときに互いに対向する短側板の位置が異なる。第２実施形態に係る容器によれば、容器に記載された表示の表示を読み進める方向とは異なる方向に向けて容器を収納する場合でも、前面に向ける面を選択することにより、医薬品名等の表示内容の理解が容易な容器を提供することができる。以下、これを実現する構成のうち、第１実施形態と異なる部分を説明する。
【００５１】
紙片２００Ａと紙片２００Ｂとを組み立てたときに、互いに対向する短側板である第１の側板２１４と第２の側板２１６とは、背板１２０を介して連続して配置されている。すなわち、紙片２００Ａ及び紙片２００Ｂは共に一枚の紙片であり、組み立てたときに互いに対向する短側板である第１の側板２１４及び第２の側板２１６は、背板１２０を介して連続して配置されており、紙片２００Ａ及び紙片２００Ｂ中に形成される折り目を境界として区別される。
【００５２】
このように、第２実施形態に係る容器には、第１実施形態と異なり、紙片２００Ａと紙片２００Ｂとを組み立てたときに、互いに対向する短側板である第１の側板２１４と第２の側板２１６とは、背板１２０を介して連続して配置されている。組み立てたときに互いに対向する短側板である第１の側板２１４の表面と第２の側板２１６の表面とには、それぞれ文字２１４Ｇと文字２１６Ｇとが記載されている。
【００５３】
文字２１４ＧＧは、底板２１２を底面としたときに、側板２１４の上で時計回りに９０度回転すると、文字２１６Ｇと同じ向きになるという関係にある。そのため、第１実施形態に係る容器１００と同様、前面に向けた面の長辺、短辺どちらを下にして収納する場合でも、前面に向ける面を選択することにより、医薬品名等の表示内容の理解が容易な容器を提供することができる。
【００５４】
（第３実施形態）
図７は、本考案の第３実施形態の容器の前板から見た模式的斜視図であり、図８は、本考案の第３実施形態の容器の背板から見た模式的斜視図である。また、図９は、本考案の第３実施形態の容器を展開した紙片の図であり、図１０は、本考案の第３実施形態の容器を展開した紙片において最も離れた辺３１０ｃと辺３２０ｃとを接続した図である。第１実施形態で説明した紙片１００Ａと紙片１００Ｂと同様に容器を展開した紙片３００Ａ及び紙片３００Ｂは、上板３１０、底板３１２、第１の側板３１４、第２の側板３１６、前板３１８、及び背板３２０を含む。
【００５５】
第３実施形態は、第１実施形態と異なり、互いに対向する短側板に９０度回転対称な文字が記載されているのみならず、互いに対向する長側板にも９０度回転対称な文字が記載されている。第３実施形態に係る容器３００によれば、短側板、長側板のいずれを前面に向けて収納する場合においても、短側板、長側板それぞれの前面に向ける面を選択することにより、前面に向けた面の長辺、短辺どちらを下にして収納しても、医薬品名等の表示内容の理解が容易な容器を提供することができる。以下、これを実現する構成のうち、第１実施形態と異なる部分を説明する。
【００５６】
紙片３００Ａと紙片３００Ｂとを組み立てたときに、互いに対向する長側板である前板３１８の表面と背板３２０の表面とに、それぞれ文字３１８Ｗと３２０Ｗとが記載されている。なお、本実施形態はこれに限定されず、互いに対向する長側板である上板３１０の表面と底板３１２の表面とに、それぞれ文字３１８Ｗと３２０Ｗとが記載されていてもよい。
【００５７】
文字３１８Ｗと文字３２０Ｗとは、任意の１文字でもよいし、２文字以上の任意の文字列でもよい。また、文字３１８Ｗと文字３２０Ｗとは、図形でもよいし、文字又は文字列及び図形との組み合わせでもよい。この例では、文字３１８Ｗと文字３２０Ｗとは、いずれもＷである。一実施形態において、文字３１８Ｗと文字３２０Ｗとは、容器３００に収納されている医薬品の名称や主薬の化合物名等であることが好ましい。
【００５８】
このように、第３実施形態に係る容器３００には、第１実施形態と異なり、組み立てたときに互いに対向する長側板である前板３１８の表面と背板３２０の表面にも、それぞれ文字３１８Ｗと３２０Ｗとが記載されている。文字３１８Ｗは、底板３１２を底面としたときに、前板３１８の上で反時計回りに９０度回転すると、文字３２０Ｗと同じ向きになるという関係にある。
【００５９】
そのため、第１実施形態に係る容器１００と同様、短側板、長側板のいずれを前面に向けて収納する場合においても、短側板、長側板それぞれの前面に向ける面を選択することにより、前面に向けた面の長辺、短辺どちらを下にして収納しても、医薬品名等の表示内容の理解が容易な容器を提供することができる。
【００６０】
本考案の実施形態として説明した容器を基にして、当業者が適宜構成要素の追加、削除もしくは設計変更を行ったもの、又は、工程の追加、省略もしくは条件変更を行ったものも、本考案の要旨を備えている限り、本考案の範囲に含まれる。また、上述した各実施形態は、技術的矛盾の生じない範囲において、相互に組み合わせることが可能である。
【００６１】
また、上述した実施形態の態様によりもたらされる作用効果とは異なる他の作用効果であっても、本明細書の記載から明らかなもの、又は、当業者において容易に予測し得るものについては、当然に本考案によりもたらされるものと解される。
【符号の説明】
【００６２】
１００：容器、１００Ａ，１００Ｂ，２００Ａ，２００Ｂ，３００Ａ，３００Ｂ：紙片、１１０，２１０，３１０：上板、１１２，２１２，３１２：底板、１１４，２１４，３１４：第１の側板、１１６，２１６，３１６：第２の側板、１１８，２１８，３１８：前板、１２０，２２０，３２０：背板、１１４Ｇ，２１４Ｇ，３１４Ｇ，Ｇ１１６Ｇ，２１６Ｇ，３１６ＧＧ：文字、１１０ａ，１１０ｂ，１１２ａ，１１２ｂ，２１０ａ，２１０ｂ，２１２ａ，２１２ｂ，３１０ａ，３１０ｂ，３１２ａ，３１２ｂ：フラップ、１１４ａ，１１６ａ，２１４ａ，２１６ａ，３１４ａ，３１６ａ：差込部、１２０ａ，２２０ａ，３２０ａ：糊代、１１０ｃ，２１０ｃ，３１０ｃ：第１の辺、１２０ｃ，２２０ｃ，３２０ｃ：第２の辺
【図１】
0003218978.tif 000003
【図２】
0003218978.tif 000004
【図３】
0003218978.tif 000005
【図４】
0003218978.tif 000006
【図５】
0003218978.tif 000007
【図６】
0003218978.tif 000008
【図７】
0003218978.tif 000009
【図８】
0003218978.tif 000010
【図９】
0003218978.tif 000011
【図１０】
0003218978.tif 000012
【手続補正書】
【提出日】平成30年9月19日(2018.9.19)
【手続補正１】
【補正対象書類名】実用新案登録請求の範囲
【補正対象項目名】全文
【補正方法】変更
【補正の内容】
【実用新案登録請求の範囲】
【請求項１】
互いに対向する第１の板と第２の板と、
互いに対向する第３の板と第４の板と、
互いに対向する第５の板と第６の板と、
を有し、
互いに対向する第１の板と第２の板、互いに対向する第３の板と第４の板、又は互いに対向する第５の板と第６の板、の１組以上の対向する板の表面に文字又は図形の少なくとも一方が記載され、
一方の板の表面に記載された前記文字又は図形の少なくとも一方は、対向する他方の板の表面に右回り又は左回りに９０度回転して記載されている、容器。
【請求項２】
前記容器は、略直方体の形状を有する、請求項１に記載の容器。
【請求項３】
前記文字又は図形の少なくとも一方は、前記容器の対向する１組の短側板に記載されている、請求項２に記載の容器。
【請求項４】
前記容器は、医薬品用容器である、請求項１から請求項３のいずれか１項に記載の容器。
【請求項５】
組み立てたときに互いに対向する第１の板と第２の板と、
組み立てたときに互いに対向する第３の板と第４の板と、
組み立てたときに互いに対向する第５の板と第６の板と、
を有し、
組み立てたときに互いに対向する第１の板と第２の板、
組み立てたときに互いに対向する第３の板と第４の板、
及び組み立てたときに互いに対向する第５の板と第６の板、
の１組以上の組み立てたときに対向する板の表面に相当する板の面に文字又は図形の少なくとも一方が記載され、一方の板の表面に相当する板の面に記載された前記文字又は図形の少なくとも一方が、組み立てたときに対向する他方の板の表面に相当する板の面に右回り又は左回りに９０度回転して記載されている、紙片。
【請求項６】
前記紙片で一方向に連続する４つの板において、前記連続する一方向に対して最も離れて配置された第１の辺と第２の辺とが前記紙片を組み立てたときに接続する、請求項５に記載の紙片。
【請求項７】
前記紙片は、組み立てたときに略直方体の形状を有する、請求項６に記載の紙片。
【請求項８】
前記文字又は図形の少なくとも一方は、前記紙片を組み立てたときに対向する１組の短側板に記載されている、請求項７に記載の紙片。
【請求項９】
組み立てた前記紙片は、医薬品用容器である、請求項５から請求項８のいずれか１項に記載の紙片。